【事件の表示】
　平成７年特許願第５６０３５号「ペン入力装置」拒絶査定不服審判事件〔平成８年９月２７日出願公開、特開平８−２４９１１４〕について、次のとおり審決する。
【結　論】
　本件審判の請求は、成り立たない。
【理　由】
１　手続の経緯・本願発明
　本願は、平成７年３月１５日の出願であって、請求項１に係る発明（以下、「本願発明」という。）は、平成１９年２月７日付けの手続補正書によって補正された特許請求の範囲の請求項１に記載された事項により特定される、次のとおりのものである。
「【請求項１】ペンを用いて手書きにより図形等のデータを入力するデータ入力部と、入力された前記データを座標データとして抽出する位置検出部と、前記座標データを記憶するデータ記憶部と、スクロールモード及び入力モードのいずれかを選択するモード設定部と、前記スクロールモードが選択されたとき、表示画面を所定量スクロールし、前記入力モードが選択されたとき、抽出した複数の前記座標データを表示用データに変換し前記データ記憶部に記憶又は画面に表示するデータ処理部と、前記表示用データを表示させる表示制御部と、前記表示用データが表示される表示画面を有するデータ表示部と、を備えたペン入力装置であって、
　前記モード設定部がスクロールモードに選択されているとき、前記データ処理部が一連の前記座標データからスクロール方向、スクロール量及びスクロール速度を設定するスクロール制御部とを備え、
　前記モード設定部がスクロールモードに選択されることにより、前記ペンによる筆跡の表示が禁止され、当該禁止状態にてユーザが前記データ入力部に前記ペンにより入力する際に、前記データ処理部は、前記座標データからの単位時間内のペンの移動量が所定の値を超えた場合、前記データ表示部に前記表示用データを一定の間隔毎に簡略表示させて上記表示画面を移動させ、かつ、その後、前記座標データからの単位時間内のペンの移動量が所定の値を超えなくなったとき、前記表示用データを上記一定の間隔毎の簡略表示から通常の表示に移行した後に上記表示画面を移動させることを特徴とするペン入力装置。」
　なお、「簡略表示させて手」は「簡略表示させて」の明らかな誤記と認め、本願発明を上記のように認定した。
　
２　引用刊行物記載の発明
　これに対して、当審における拒絶の理由で引用した本願の出願の日前である平成６年７月８日に頒布された「特開平６−１８７０８９号公報」（以下、「引用例１」という。）には、図面とともに、次の事項が記載されている。
（ａ）「【０００９】まず、図１２に本発明のスクロール制御方法が適用されるコンピュータシステムの概略ハードウエア構成を示す。このシステムは、システム全体を制御する中央処理装置（ＣＰＵ）１２０、このＣＰＵ１２０が実行するシステムプログラムおよびアプリケーションプログラム、その他各種データを格納する主記憶装置１２１、この主記憶装置１２１に常駐しないプログラムおよびデータを格納する大記憶容量の外部記憶装置、ペン１２４を有するペン入力装置１２３、および表示装置１２５を有する。ペン入力装置１２３と表示装置１２５とは図中別々に示したが、以下の説明では表示装置１２５の画面上でペン１２４を指示操作するものものとする。但し、本発明はこのような構成に限定されるものではない。
【００１０】図４に示すように、本実施例においては、ペン１２４のボタン１２６を押下しながらペン先を操作領域１２８内で移動させる（ドラッグする）ことにより、画像１２８をスクロールさせる。スクロール操作におけるペン１２４の移動方向と画像１２８の移動方向との関係を示すスクロール動作モードには図２と図３に示す２種類がある。
【００１１】図２は、順方向のスクロール動作モードを示す概念図である。順方向スクロールでは、ペンの移動に合わせて論理画面（画像）を移動させる。よって、順方向スクロールでは、ペンの移動方向とスクロール方向が一致する。
【００１２】図３は、逆方向のスクロール動作モードを示す概念図である。逆方向スクロールでは、ペンの移動にあわせて物理画面すなわち表示領域（窓）自体を移動させることによりスクロールを行う。よって、逆方向スクロールでは、ペンの移動方向に対しスクロール方向が逆向きになる。図８で後述するように、本実施例では、ワークエリアＭｏｄｅに「順方向」、「逆方向」のいずれかのフラグを設定することにより、ユーザが好みに合わせてスクロール動作モードを選択することができるようにしている。
【００１３】図１は、スクロールメイン処理を示すフローチャートである。このプログラムは、システムプログラムまたはアプリケーションプログラムの一部として、主記憶装置１２１に格納され、ＣＰＵ１２０により実行される。また、主記憶装置１２１には図９のメモリマップに示すようにスクロール処理で利用される各種ワークエリアが確保される。
【００１４】本発明によるスクロール制御方法を採用したコンピュータシステムにおいて、スクロール処理要求が発生した場合、図１のステップ１でペン入力装置のドラッグによる移動の始点のＸ座標，Ｙ座標および終点のＸ座標，Ｙ座標を得て、それをそれぞれワークエリアＳｔａｒｔＸ、ＳｔａｒｔＹ、ＥｎｄＸ，ＥｎｄＹに格納する。次に、ステップ２でワークエリアＳｔａｒｔＸおよびＥｎｄＸからＸ軸方向の移動量を算出し、ワークエリアＸに格納する。次に、ステップ３でワークエリアＳｔａｒｔＹおよびＥｎｄＹからＹ軸方向の移動量を算出し、ワークエリアＹに格納する。続くステップ４でワークエリアＸおよびＹに基づき移動方向の傾きを算出し、これをワークエリアＡに格納する。最後にステップ５で実際のスクロール処理を行う。
【００１５】なお、ここでは、ペンのドラッグの始点および終点について一括してスクロール処理を行うようにしたが、ドラッグ中の微小単位時間ごとにその期間のペンの移動の始点および終点について逐次上記の処理を繰り返して行うようにすれば、ドラッグの移動にリアルタイムに追従したスクロールを行うことができる。」
　
　以上の記載事項によると、引用例１には、「システム全体を制御する中央処理装置（ＣＰＵ）１２０、このＣＰＵ１２０が実行するシステムプログラムおよびアプリケーションプログラム、その他各種データを格納する主記憶装置１２１、この主記憶装置１２１に常駐しないプログラムおよびデータを格納する大記憶容量の外部記憶装置、ペン１２４を有するペン入力装置１２３、および表示装置１２５を有し、
　表示装置１２５の画面上でペン１２４を指示操作するコンピュータシステムであって、
　ペン１２４のボタン１２６を押下しながらペン先を操作領域１２８内で移動させる（ドラッグする）ことにより、画像１２８をスクロールさせ、スクロール操作におけるペン１２４の移動方向と画像１２８の移動方向との関係を示すスクロール動作モードには、ペンの移動方向とスクロール方向が一致する順方向スクロールと、ペンの移動方向に対しスクロール方向が逆向きになる逆方向スクロールの２種類があり、
　スクロール処理要求が発生した場合、ペン入力装置のドラッグによる移動の始点のＸ座標，Ｙ座標および終点のＸ座標，Ｙ座標を得て、それをそれぞれワークエリアＳｔａｒｔＸ、ＳｔａｒｔＹ、ＥｎｄＸ，ＥｎｄＹに格納するステップ１、
　次に、ワークエリアＳｔａｒｔＸおよびＥｎｄＸからＸ軸方向の移動量を算出し、ワークエリアＸに格納するステップ２、
　次に、ワークエリアＳｔａｒｔＹおよびＥｎｄＹからＹ軸方向の移動量を算出し、ワークエリアＹに格納するステップ３、
　続いて、ワークエリアＸおよびＹに基づき移動方向の傾きを算出し、これをワークエリアＡに格納するステップ４、
　最後に、実際のスクロール処理を行うステップ５を実行するコンピュータシステム。」の発明（以下、「引用発明」という。）が記載されていると認められる。
　
　また、当審における拒絶の理由で引用した本願の出願の日前である平成６年１１月２５日に頒布された「特開平６−３２４７９４号公報」（以下、「引用例２」という。）には、図面とともに、次の事項が記載されている。
（ａ）「【請求項１】タッチ入力部と、
　前記タッチ入力部で入力した際の入力圧を検出する検出手段と、
　前記検出手段で検出した入力圧に応じて、入力処理と他の所定の処理とを選択的に実行する制御手段と、
　を具備することを特徴とするタッチ入力装置。
【発明の詳細な説明】
【０００１】
【産業上の利用分野】本発明は、ペン或は指等によってタッチ入力部をなぞることによって所定の入力処理を行うタッチ入力装置に関する。」
（ｂ）「【００１４】また、文字図形表示部１２Ａに対応する部分のタッチ入力であれば、まず、圧力検出センサ２０の検出結果により、指３８によるタッチ入力の押圧力が高いかどうか判断する（ステップＳ４）。圧力が低い場合には、さらに圧力フラグ１０Ａがオンしているかどうか判断する（ステップＳ５）。圧力フラグ１０Ａがオンしていない場合には、入力位置を示す入力座標データを入力バッファ２４Ｃに記憶し（ステップＳ６）、その入力バッファ２４Ｃのデータを表示部１２に表示した後（ステップＳ７）、上記ステップＳ１に戻る。これにより、タッチ入力部１４を指３８でなぞった軌跡が表示部１２に表示されることとなる。
【００１５】そして、所定時間入力がないと（ステップＳ１）、次に圧力フラグ１０Ａがオンしているかどうか判断する（ステップＳ８）。圧力フラグ１０Ａがオンしていない場合には、入力バッファ２４Ｃのデータ、つまり指３８でなぞった軌跡に対応する文字がキャラクタジェネレータ２８にあるかどうか判断する（ステップＳ９）。キャラクタジェネレータ２８に対応する文字がない場合には、入力されたのは図形であるとして、入力バッファ２４Ｃのデータを表示メモリ２４Ｂに記憶した後（ステップＳ１０）、上記ステップＳ１に戻る。また、対応する文字がキャラクタジェネレータ２８にある場合には、入力されたのは文字であるとして、入力バッファ２４Ｃのデータではなくて、キャラクタジェネレータコードを表示メモリ２４Ｂの入力位置に対応する位置に記憶する（ステップＳ１１）。そして、入力バッファ２４Ｃの座標データをクリアして（ステップＳ１２）、上記ステップＳ１に戻る。こうして、図形入力の場合にはその指３８の軌跡に添った図形が表示され、文字入力の場合には指３８の軌跡に対応する予め装置が備えるフォントの文字が表示されることとなる。」
（ｃ）「【００１８】また、本実施例の装置では、上記の訂正処理に加えて、スクロール表示の指定も行えるようになっている。これは、図２の（Ａ）に示すように、スクロールすべき方向にタッチ入力部１４を高押圧でなぞることにより行われる。・・・（中略）・・・なお、このスクロール処理時には、図２の（Ａ）に示すように、スクロール処理中であることを示す「スクロール」表示１２Ｃを行うようにしても良い。」
　
　また、当審における拒絶の理由で引用した本願の出願の日前である昭和６３年８月９日に頒布された「特開昭６３−１９２０８７号公報」（以下、「引用例３」という。）には、図面とともに、次の事項が記載されている。
（ａ）「２．特許請求の範囲
　（１）ディスプレイ（１）と該ディスプレイ（１）の表示面上に設置された座標出力手段（２）と、該座標出力手段（２）における指示位置を示す座標を入力情報として用いて該ディスプレイ（１）上の表示内容をスクロールする機能とを持つスクロール表示装置において、
　スクロール速度を指示位置の移動速度に対して非線形の関係にする手段（６）を設けてなることを特徴とするスクロール表示装置。」（第１頁左下欄第４〜１３行）
（ｂ）「〔産業上の利用分野〕
　本発明はスクロール表示装置、特に、座標出力手段（以下タッチパネル）を入力装置、ディスプレイを出力装置として持つ端末のスクロール表示装置に関する。このような端末において、ディスプレイ上の限られた画面領域に大量の情報を表示するにはスクロール表示装置が有効である。特に、タッチパネルを備えた場合、大量の情報を参照するには指の移動速度以上の速い速度でスクロールし、広い範囲にわたる情報を短時間でスクロールすることが必要とされる。
〔従来の技術〕
　第４図は従来装置の一例のブロック図を示す。同図において、ディスプレイ１上に設けられたタッチパネル２上に指をタッチして移動させると、タッチパネル２からは一定の周期で座標が出力される。この座標の変化分をタッチパネル制御装置３で求めることにより、タッチパネル制御装置３からは指の移動速度に対応した速度情報が取出され、ＣＰＵ４からはこの速度情報に対応したスクロール表示するためのメモリアドレスが出力される。ディスプレイ制御装置５からはメモリアドレスに対応した画像情報（スクロール速度Ｓに対応）が取出されてディスプレイ１に供給され、ディスプレイ１の画面はスクロール表示される。
　この場合、指の移動速度ｄとスクロール速度ｓとは第５図に示すようにｓ＝ｄの関係があり、指の移動速度ｄに等しくスクロールされる。つまり、指の移動速度ｄと表示内容のスクロール速度が常に等しくなるよう、ＣＰＵ４から取出されるメモリ画面表示のスタートアドレスが変更される。」（第１頁右下欄第１４行〜第２頁右上欄第６行）
　
　また、当審における拒絶の理由で引用した本願の出願の日前である平成２年１月８日に頒布された「特開平２−２５９９号公報」（以下、「引用例４」という。）には、図面とともに、次の事項が記載されている。
（ａ）「２．特許請求の範囲
１．一度登録した図形情報の一部領域をディスプレイの画面上に表示可能で図形表示している領域をオペレータが変更可能である表示装置において、画面上に表示されている一部領域に含まれる図形情報の特定情報を画面上から一時的に消去する手段を設け、図形表示している領域を移動（スクロール）する際に、該特定情報を消去するようにしたことを特徴とする図形スクロール方式。
 ・・・（中略）・・・
 ３．請求項１記載の表示装置において、スクロールする速度を設定する手段を設け、スクロールの速度に応じ表示図形の情報量を変更することを特徴としたスクロール方式。
 ４．請求項３記載の図形スクロール方式において、スクロール速度が速くなつた場合に一時的に消去する表示図形の情報量を多くすることを特徴とした図形スクロール方式。」（第１頁左下欄第４行〜同頁右下欄第９行）
（ｂ）「第８図はスクロール速度によりスクロール対象の図形量を変更する方式の一実施例である。
　第８図において、処理装置３は入力装置８からスクロール方向及びスクロール速度を読み込み、演算部３２によってそのスクロール速度よりスクロールする図形量を演算により求める。一般にスクロール速度が速くなるとスクロール図形量は少なくなる様な計算式により演算される。ここで決定されたスクロール図形量に従って演算部３１は前述のフレームメモリ読出しマスク量を決定し、フレームメモリ読出しマスク情報３３として第６図に示すフレームメモリ読出しマスク装置９へ指示する。
〔発明の効果〕
　以上詳述した様に本発明によれば、スクロールの速度が速くても図形検索がし易く、目の疲れの少ないスクロールが可能となる。」（第４頁左上欄第１１行〜同頁右上欄第７行）
（ｃ）第８図には、図形表示している領域を移動（スクロール）する際に、前記図形表示している領域のスクロール速度が所定の値を超えている場合、前記図形を簡略表示させることが示されている。
　
３　対比
　本願発明と引用発明を対比すると、引用発明における「ワークエリア」「スクロール動作モード」「ボタン１２６」「表示装置１２５の画像１２８」「中央処理装置（ＣＰＵ）１２０」「表示装置１２５」「コンピュータシステム」は、それぞれ本願発明における「データ記憶部」「スクロールモード」「モード設定部」「表示画面」「データ処理部」「データ表示部」「ペン入力装置」に相当するものと認める。
　また、引用発明において、ペン入力装置のドラッグによる移動の始点のＸ座標，Ｙ座標および終点のＸ座標，Ｙ座標を得て、それをそれぞれワークエリアＳｔａｒｔＸ、ＳｔａｒｔＹ、ＥｎｄＸ，ＥｎｄＹに格納するから、引用発明の「ペン入力装置１２３」と、本願発明の「データ入力部」とは、「ペンを用いて手書きによりデータを入力するデータ入力部」である点で一致する。
　また、引用発明の「ペン入力装置のドラッグによる移動の始点のＸ座標，Ｙ座標および終点のＸ座標，Ｙ座標を得て、それをそれぞれワークエリアＳｔａｒｔＸ、ＳｔａｒｔＹ、ＥｎｄＸ，ＥｎｄＹに格納するステップ」は、本願発明において、「位置検出部」が「入力された前記データを座標データとして抽出する」ステップと、「データ記憶部」が「座標データを記憶する」ステップとに対応していることは当業者において明らかである。
　また、引用発明には、「表示装置１２５」に表示用データを表示させるための制御部を備えていること、そして、前記「制御部」が本願発明の「表示制御部」に対応していることは当業者において明らかである。
　また、引用発明の「次に、ワークエリアＳｔａｒｔＸおよびＥｎｄＸからＸ軸方向の移動量を算出し、ワークエリアＸに格納するステップ２、
　次に、ワークエリアＳｔａｒｔＹおよびＥｎｄＹからＹ軸方向の移動量を算出し、ワークエリアＹに格納するステップ３」、「実際のスクロール処理を行うステップ５」は、本願発明の「スクロール制御部」が行う「一連の前記座標データからスクロール方向、スクロール量を設定」するステップ、「表示制御部」が行う「表示画面を所定量スクロール」するステップに対応していることは当業者において明らかである。
　
　したがって、両者は、以下のとおりの一致点及び相違点を有するものと認められる。
（一致点）
「ペンを用いて手書きによりデータを入力するデータ入力部と、入力された前記データを座標データとして抽出する位置検出部と、前記座標データを記憶するデータ記憶部と、スクロールモードを選択するモード設定部と、前記スクロールモードが選択されたとき、表示画面を所定量スクロールするデータ処理部と、表示用データを表示させる表示制御部と、前記表示用データが表示される表示画面を有するデータ表示部と、を備えたペン入力装置であって、
　前記モード設定部がスクロールモードに選択されているとき、前記データ処理部が一連の前記座標データからスクロール方向、スクロール量を設定するスクロール制御部とを備えるペン入力装置。」である点。
　
（相違点）
　(1)　本願発明では、データ入力部がペンを用いて手書きにより図形等のデータを入力し、モード設定部がスクロールモード及び入力モードのいずれかを選択し、データ処理部が入力モードを選択したとき、抽出した複数の前記座標データを表示用データに変換し前記データ記憶部に記憶又は画面に表示するデータ処理部を備えるのに対して、引用発明では、そのような点については明示がない点。
　(2)　スクロール制御部が、本願発明では、一連の前記座標データからスクロール速度を設定するのに対して、引用発明では、そのような点については明示がない点。
　(3)　本願発明では、モード設定部がスクロールモードに選択されることにより、前記ペンによる筆跡の表示が禁止され、当該禁止状態にてユーザが前記データ入力部に前記ペンにより入力する際に、前記データ処理部は、前記座標データからの単位時間内のペンの移動量が所定の値を超えた場合、前記データ表示部に前記表示用データを一定の間隔毎に簡略表示させて上記表示画面を移動させ、かつ、その後、前記座標データからの単位時間内のペンの移動量が所定の値を超えなくなったとき、前記表示用データを上記一定の間隔毎の簡略表示から通常の表示に移行した後に上記表示画面を移動させるのに対して、引用発明では、そのような点については明示がない点。
　
４　判断
　上記相違点について検討する。
　相違点(1)
　引用例２には、タッチ入力部１４（手書きにより図形等のデータを入力するデータ入力部）と、圧力フラグ１０Ａ（スクロールモード及び入力モードのいずれかを選択するモード設定部）と、ステップＳ６及びステップＳ７（前記スクロールモードが選択されたとき、表示画面を所定量スクロールし、前記入力モードが選択されたとき、抽出した複数の前記座標データを表示用データに変換し前記データ記憶部に記憶又は画面に表示するデータ処理部）と、表示駆動部１６（前記表示用データを表示させる表示制御部）と、表示部１２（前記表示用データが表示される表示画面を有するデータ表示部）とを備える入力装置が記載されているから、引用発明において、ペンを用いて手書きにより図形等のデータも入力できるようにし、「モード設定部」でスクロールモード及び入力モードのいずれかを選択し、「データ処理部」で入力モードを選択したとき、抽出した複数の前記座標データを表示用データに変換し前記データ記憶部に記憶又は画面に表示することは当業者が適宜なし得ることと認める。
　相違点(2)
　引用例３には、スクロールする場合、ＣＰＵ４（データ処理部）が一連の座標データからスクロール速度を設定する装置が記載されているから、引用発明のスクロール制御部で一連の前記座標データからスクロール速度も設定することは当業者が適宜なし得ることと認める。
　相違点(3)
　引用例４の第８図等には、スクロールの速度が速くても図形検索がし易く、目の疲れの少ないスクロールを可能とするために、スクロール方向やスクロール速度を設定し、スクロール速度が所定の値を超えている場合、スクロール図形量を少なくして図形表示している領域を移動（表示用データを簡略表示させて表示画面を移動）させ、かつ、その後、前記スクロール速度が所定の値を超えていない場合、前記スクロール図形量を少なくせず図形表示している領域を移動（表示用データを上記簡略表示させず上記表示画面を移動）させることが記載されている。
　したがって、引用発明においても、スクロールの速度が速くても図形検索がし易く、目の疲れの少ないスクロールを可能とするために、モード設定部がスクロールモードに選択されることにより、ユーザが前記データ入力部に前記ペンにより入力する際に、前記データ処理部は、スクロール速度である座標データからの単位時間内のペンの移動量が所定の値を超えた場合、前記データ表示部に前記表示用データを簡略表示させて上記表示画面を移動させ、かつ、その後、前記座標データからの単位時間内のペンの移動量が所定の値を超えなくなったとき、前記表示用データを簡略表示から通常の表示に移行した後に上記表示画面を移動させることは当業者が適宜なし得ることと認める。
　その際、ペン入力装置の視認性等を考慮して、一定の間隔毎に簡略表示させることや、モード設定部がスクロールモードに選択されることにより、前記ペンによる筆跡の表示が禁止され、当該禁止状態にてユーザが前記データ入力部に前記ペンにより入力することは設計事項に過ぎない。
　
５　むすび
　以上のとおり、本願発明は、引用発明、及び引用例２ないし４に記載されている技術事項に基づいて当業者が容易に発明をすることができたものであるから、特許法第２９条第２項の規定により特許を受けることができない。
　よって、結論のとおり審決する。